(57)【特許請求の範囲】
【請求項１】
ケース付きの水栓装置の該ケースの部分開口を開閉する蓋体を脱着可能に取り付ける蓋体の取付構造であって
前記蓋体の裏面の上部には上向きの引掛部を、該裏面の下部には下向きの引掛部をそれぞれ設けるとともに、該ケースには前記蓋体を下側から支持し且つ前記下向きの引掛部を引掛ける支持棒を上下に移動可能に横設するとともに、該支持棒を上向きに付勢する弾性部材を設け、前記蓋体の下向きの引掛部を該支持棒に前後方向に位置固定に引掛けて該蓋体を該支持棒にて支持させるとともに、前記弾性部材にて該蓋体を該支持棒とともに上向きに付勢し、該蓋体の上端を前記部分開口における上側の内端縁に上向きに当接させるとともに、前記上向きの引掛部を該部分開口の上側で該部分開口周りの壁部の裏側に前後方向に位置固定に引掛ける状態に該蓋体を取り付けてあることを特徴とする水栓装置における蓋体の取付構造。
【請求項２】
請求項１において、前記水栓装置が、前記ケースの内部に水栓機構部を収納した縦長のシャワー装置であって、前記ケースが、後壁と一対の側壁とを有し前面が室内側に向って開放されたケース本体と、該ケース本体の前面の開放部を閉じる、該ケース本体に対して熱膨張の大きい樹脂製の前面カバーとを有する縦長形状のものであり、
前記前面カバーは、下端を含む下部が上側のカバー本体とは別体とされていて、該下部が前記蓋体として構成してあって該蓋体の脱着により前記部分開口が開閉されるようになしてあり、且つ前記カバー本体は前記部分開口に対して上側の壁部となる下端部分が該カバー本体の温度変化による伸縮によって上下に移動可能に前記ケース本体に取り付けてあることを特徴とする水栓装置における蓋体の取付構造。
【請求項３】
請求項２において、前記ケースからは可撓性のシャワーホースが延び出していて、該シャワーホースの先端部にハンドシャワー吐水部が接続されていることを特徴とする水栓装置における蓋体の取付構造。
【請求項４】
請求項１〜３の何れかにおいて、前記弾性部材がコイルばねであることを特徴とする水栓装置における蓋体の取付構造。
【請求項５】
請求項１〜４の何れかにおいて、前記蓋体の取付状態の下で前記支持棒の下向きの移動を、前記壁部の裏側に引掛かった状態の前記上向きの引掛部が該壁部から外れない範囲内に規制する規制部材を前記ケースに脱着可能に設けてあることを特徴とする水栓装置における蓋体の取付構造。
【請求項６】
請求項５において、前記規制部材が、前記ケースの底壁の下側から該底壁を貫通して上向きにねじ込まれ、該底壁から上向きに突出したストッパ部を前記支持棒に対して該支持棒に固定の部材を介し間接に若しくは直接に当接させることによって、該支持棒の移動を規制するストッパボルトであることを特徴とする水栓装置における蓋体の取付構造。
【請求項７】
ケース付きの水栓装置の該ケースの部分開口を開閉する蓋体を脱着可能に取り付ける蓋体の取付方法であって
前記蓋体の裏面の上部には上向きの引掛部を、該裏面の下部には下向きの引掛部をそれぞれ設けるとともに、該ケースには前記蓋体を下側から支持し且つ前記下向きの引掛部を引掛ける支持棒を上下に移動可能に横設するとともに、該支持棒を上向きに付勢する弾性部材を設け、
前記下向きの引掛部を該支持棒に前後方向に位置固定に引掛けた状態で前記弾性部材を弾性変形させつつ前記蓋体を該支持棒とともに下向きに押し下げ、しかる後該蓋体の上端を前記部分開口における上側の内端縁に対して上向きに対向させた状態で下向きの押下力を除き、前記弾性部材の付勢力で該蓋体の上端を該内端縁に当接させ、且つ前記上向きの引掛部を前記部分開口の上側で該部分開口周りの壁部の裏側に前後方向に位置固定に引掛ける状態に該蓋体を取り付けることを特徴とする水栓装置における蓋体の取付方法。
【発明の詳細な説明】
【技術分野】
【０００１】
この発明は、ケース付きの水栓装置におけるケースの部分開口を開閉する蓋体の取付構造及び取付方法に関する。
【背景技術】
【０００２】
従来、ケースの内部に水栓機構部を収納した形態の水栓装置が公知である。
例えば下記特許文献１にこの種の水栓装置が開示されている。
図２７はその具体例を示している。
この図２７に示したものは水栓装置をシャワー装置として構成した場合の例で、図中４００はシャワー装置４０１における縦長の箱体状をなすケースで、壁Ｗ側の後側のケース本体４０２と前面カバー４０４とを有しており、その後側のケース本体４０２において壁Ｗに取付固定されている。
ケース本体４０２は後壁４０２Ａと一対の側壁４０２Ｂとを有していて、室内側の前面が開放された形態をなしており、そしてその前面の開放部が前面カバー４０４にて閉鎖されている。
【０００３】
このシャワー装置では、前面カバー４０４の上端部にオーバーヘッドシャワー吐水部４０６が設けられ、また上下の中間部にボデーシャワー吐水部４０８が、更に下端部に吐水管４１０が設けられており、更にボデーシャワー吐水部４０８の下側に、オーバーヘッドシャワー吐水部４０６とボデーシャワー吐水部４０８と吐水管４１０との間で吐水を切替操作する切替操作部４１２が設けられている。
【０００４】
またケース４００の内部には、湯水の混合バルブを有する水栓本体４１４及び切替バルブ４１６を含む水栓機構部４１８を内部配管とともに有する内部機能部４１９が収納されている。
尚、切替バルブ４１６には上記の切替操作部４１２が備えられ、この切替操作部４２０が前面カバー４０４の開口４２２から室内側に突出せしめられている。
【０００５】
この他に、図２８に示すようなシャワー装置が下記特許文献２に開示されている。
図において、４２８はシャワー装置４０１における壁面Ｗ側の後面が開放された箱体状をなすケースで、その上部にオーバーヘッドシャワー吐水部（第１シャワー）４３２が、またその下側に可撓性のシャワーホース４３４に繋がれたハンドシャワー吐水部（第３シャワー）４３６が、またカウンター４３０に別の第２のシャワー吐水部４３８が設けられている。
【０００６】
またケース４２８の前面には、オーバーヘッドシャワー吐水部４３２からのシャワー吐水と第２のシャワー吐水部４３８からのシャワー吐水とを切替操作する操作部４４０，ハンドシャワー吐水部４３６からの吐水と止水とを行うための操作部４４１，更に温度調節操作のための操作部４４３とが設けられている。
またケース４２８の内部には、温度調節を行う湯水の混合バルブ４４２，吐止水を行う吐止水バルブ（切替バルブ）４４４，シャワー吐水の切替えを行う切替バルブ４４６が配管とともに内部機能部４１９として収納されている。
【０００７】
ところで、ケース付きの水栓装置をこれらに示すようなシャワー装置として構成すると否とを問わず、かかるケース付きの水栓装置においては、給水元管，給湯元管とケース内部の内部部材との接続部，その接続部近くに設けてある止水栓の操作或いは寒冷地等においては水抜きのための操作、その他給水元管，給湯元管と内部部材との接続部からの水漏れや故障の修理等のメンテナンスを行うための部分開口をケースに設けておき、そこを点検口として内部のメンテナンスをできるようにしておくことが望ましい（因みに図２７及び図２８に示すシャワー装置ではそうした部分開口即ち点検口は設けられていない）。
【０００８】
而してこのように部分開口を設けて、これを脱着可能な蓋体で閉鎖するようになした場合、その蓋体は特別の工具を使うことなく素手で簡単に脱着できるようにしておくことが望ましい。
その一方で、取り付けた蓋体はしっかりと固定されており、水栓装置の使用中に周辺の部材が蓋体に当って干渉し、蓋体に不意の外力が加わることがあっても、かかる蓋体が外れてしまわないようにしておくことが望ましい。
【０００９】
特に図２８の装置のように、ハンドシャワー吐水部４３６を備え、そのハンドシャワー吐水部４３６に対してケース４２８から延び出した可撓性のシャワーホース４３４が接続されているような場合、ハンドシャワー吐水部４３６をシャワーフックから取り外して使用したりするときに、シャワーホース４３４が蓋体に引掛かってしまう恐れがあり、そうしたときにホース４３４によって蓋体が取付位置から外れてしまわないようにしておくことが必要である。
【００１０】
尚、本発明に関連する先行技術として他に下記特許文献３，特許文献４に開示されたものがある。
しかしながらこれら特許文献３，特許文献４に開示のものは、浴槽の点検口の蓋体の取付構造，浴室の洗い場カウンターにおける点検口の蓋体の取付構造に関するもので、本発明とは対象が異なっており、また蓋体の取付構造においても本発明とは異なった別異のものである。
【００１１】
【特許文献１】特開２００６−３１０号公報
【特許文献２】特開２００６−１１２１８０号公報
【特許文献３】実開昭６２−１０２４７９号公報
【特許文献４】実開平５−１１８８９号公報
【発明の開示】
【発明が解決しようとする課題】
【００１２】
本発明は以上のような事情を背景とし、専用の工具を用いることなく素手で簡単に蓋体の脱着を行うことができ、且つ取付状態において周辺の部材が蓋体に当る等して不意の外力が加わっても、蓋体が取付位置から外れる恐れのない、部分開口を開閉する蓋体の取付構造及び取付方法を提供することを目的としてなされたものである。
【課題を解決するための手段】
【００１３】
而して請求項１は蓋体の取付構造に関するもので、ケース付きの水栓装置の該ケースの部分開口を開閉する蓋体を脱着可能に取り付ける蓋体の取付構造であって、前記蓋体の裏面の上部には上向きの引掛部を、該裏面の下部には下向きの引掛部をそれぞれ設けるとともに、該ケースには前記蓋体を下側から支持し且つ前記下向きの引掛部を引掛ける支持棒を上下に移動可能に横設するとともに、該支持棒を上向きに付勢する弾性部材を設け、前記蓋体の下向きの引掛部を該支持棒に前後方向に位置固定に引掛けて該蓋体を該支持棒にて支持させるとともに、前記弾性部材にて該蓋体を該支持棒とともに上向きに付勢し、該蓋体の上端を前記部分開口における上側の内端縁に上向きに当接させるとともに、前記上向きの引掛部を該部分開口の上側で該部分開口周りの壁部の裏側に前後方向に位置固定に引掛ける状態に該蓋体を取り付けてあることを特徴とする。
【００１４】
請求項２のものは、請求項１において、前記水栓装置が、前記ケースの内部に水栓機構部を収納した縦長のシャワー装置であって、前記ケースが、後壁と一対の側壁とを有し前面が室内側に向って開放されたケース本体と、該ケース本体の前面の開放部を閉じる、該ケース本体に対して熱膨張の大きい樹脂製の前面カバーとを有する縦長形状のものであり、前記前面カバーは、下端を含む下部が上側のカバー本体とは別体とされていて、該下部が前記蓋体として構成してあって該蓋体の脱着により前記部分開口が開閉されるようになしてあり、且つ前記カバー本体は前記部分開口に対して上側の壁部となる下端部分が該カバー本体の温度変化による伸縮によって上下に移動可能に前記ケース本体に取り付けてあることを特徴とする。
【００１５】
請求項３のものは、請求項２において、前記ケースからは可撓性のシャワーホースが延び出していて、該シャワーホースの先端部にハンドシャワー吐水部が接続されていることを特徴とする。
【００１６】
請求項４のものは、請求項１〜３の何れかにおいて、前記弾性部材がコイルばねであることを特徴とする。
【００１７】
請求項５のものは、請求項１〜４の何れかにおいて、前記蓋体の取付状態の下で前記支持棒の下向きの移動を、前記壁部の裏側に引掛かった状態の前記上向きの引掛部が該壁部から外れない範囲内に規制する規制部材を前記ケースに脱着可能に設けてあることを特徴とする。
【００１８】
請求項６のものは、請求項５において、前記規制部材が、前記ケースの底壁の下側から該底壁を貫通して上向きにねじ込まれ、該底壁から上向きに突出したストッパ部を前記支持棒に対して該支持棒に固定の部材を介し間接に若しくは直接に当接させることによって、該支持棒の移動を規制するストッパボルトであることを特徴とする。
【００１９】
請求項７は蓋体の取付方法に関するもので、この取付方法は、ケース付きの水栓装置の該ケースの部分開口を開閉する蓋体を脱着可能に取り付ける蓋体の取付方法であって、前記蓋体の裏面の上部には上向きの引掛部を、該裏面の下部には下向きの引掛部をそれぞれ設けるとともに、該ケースには前記蓋体を下側から支持し且つ前記下向きの引掛部を引掛ける支持棒を上下に移動可能に横設するとともに、該支持棒を上向きに付勢する弾性部材を設け、前記下向きの引掛部を該支持棒に前後方向に位置固定に引掛けた状態で前記弾性部材を弾性変形させつつ前記蓋体を該支持棒とともに下向きに押し下げ、しかる後該蓋体の上端を前記部分開口における上側の内端縁に対して上向きに対向させた状態で下向きの押下力を除き、前記弾性部材の付勢力で該蓋体の上端を該内端縁に当接させ、且つ前記上向きの引掛部を前記部分開口の上側で該部分開口周りの壁部の裏側に前後方向に位置固定に引掛ける状態に該蓋体を取り付けることを特徴とする。
【発明の作用・効果】
【００２０】
以上のように請求項１のものは、蓋体の裏面の上部と下部とにそれぞれ上向き及び下向きの引掛部を設けるとともに、ケースには蓋体を下側から支持し且つ下向きの引掛部を引掛ける支持棒を上下に移動可能に横設するとともに、支持棒を上向きに付勢する弾性部材を設け、蓋体の下向きの引掛部を支持棒に前後方向（蓋体の裏面と直角方向）に位置固定に引掛けて蓋体を支持させるとともに、弾性部材にて蓋体全体を支持棒を介して上向きに付勢し、そのことによって蓋体の上端を部分開口における上側の内端縁に上向きに当接させるとともに、上向きの引掛部を部分開口の上側で、部分開口周りの壁部の裏側に前後方向に位置固定に引掛ける状態に蓋体を取り付けるようになしたものである。
【００２１】
かかる請求項１の取付構造では、蓋体の上部の上向きの引掛部と下部の下向きの引掛部とが相手側に掛止した状態に蓋体が取り付けられるため、蓋体が強固に固定状態となり、従って水栓装置の使用中に蓋体に使用者の身体や物品が当る等して、蓋体に不意の外力が加わるようなことがあっても、蓋体がその不意の外力によって外れてしまう恐れがなく、蓋体をしっかりと固定状態に保持することができる。
【００２２】
一方でこの請求項１の取付構造では、蓋体の下部の下向きの引掛部を支持棒に引掛けた上、支持棒を介して弾性部材を弾性変形させることで、簡単に部分開口を閉鎖させる状態に蓋体を取り付けることができ、或いはその取付状態の下で弾性部材を弾性変形させるように下向きに押し下げることで、簡単に蓋体を取り外すことができ、従ってこの請求項１によれば、素手で簡単に蓋体を着脱操作することができる。
【００２３】
また取付状態においては、弾性部材の上向きの付勢力によって蓋体の上端を部分開口における上側の内端縁に当接させ、それらを密着状態に保持しておくことができ、それら蓋体の上端と部分開口における上側の内端縁との間に隙間が生じてしまうのを防止することができる。
即ち蓋体によって部分開口を良好に閉鎖した状態となしておくことができる。
【００２４】
加えてこの請求項１の取付構造では、蓋体の下部の引掛部を支持棒に引掛けて外れ防止するようになしていることから、部分開口の下側に、引掛部を引掛けるための壁部が存在していないような場合においても、良好に蓋体を強固な取付状態で取り付けることが可能となる。
【００２５】
更に弾性部材の付勢力を支持棒を介して蓋体に加えるようになしているため、蓋体自体に弾性部材の付勢力を受ける受部を特に設けておかなくてもよく、蓋体の構造を簡単化でき且つこれを薄く構成しておくことができる。
ここで蓋体は、取付状態で蓋体の奥側に配置したケースの当接部に後方向に当接させるようになしておくことができる。
【００２６】
次に請求項２は、水栓装置を縦長のシャワー装置としてそのケースを、ケース本体とその前面の開放部を閉じる樹脂製の前面カバーとで構成し、そしてその前面カバーの下部を上側のカバー本体と別体となして、その下部を上記蓋体として構成したもので、このようにした場合、ケース付きの水栓装置の美観を良好とし、意匠性を高めることができる。
【００２７】
一方でその前面カバーを樹脂製としておくことにより、かかる樹脂製の前面カバーが温度変化によって上下方向に大きく熱膨張、収縮し易い問題を生ずる。
この場合、前面カバーを上下方向に伸縮可能に設けておくことで、温度変化により前面カバーに歪みが発生して前面カバーが変形してしまうのを防止することができる。
【００２８】
一方でそのようにした場合、部分開口を閉鎖する蓋体を上下方向に位置固定状態に取り付けておくと、前面カバーの上下方向の伸縮によって、詳しくは部分開口の上側のカバー本体における下端部分が上下に移動することによって、蓋体の上端と部分開口における上側の内端縁との間に隙間が生じたり、或いは蓋体に対して下向きに無理な力が加わってしまう。
【００２９】
しかるにこの請求項２では、蓋体が上下に移動可能で且つ弾性部材にて上向きに付勢されているため、カバー本体における下端部分の上下移動に追従して蓋体がこれと一体に移動することができ、従ってカバー本体における下端部分の上向きの移動によって、蓋体と部分開口における上側の内端縁との間に隙間を生ぜしめることがない。
【００３０】
また逆にカバー本体の下端部分、詳しくは部分開口における上側の内端縁が、カバー本体の伸張により下向きに移動したときには、蓋体が弾性部材を弾性変形させながらこれに追従して下向きに一体に移動するため、蓋体に対して無理な力が加わって蓋体に大きな負荷がかかってしまうこともない。
【００３１】
この結果、蓋体とその上側のカバー本体とで構成される前面カバーは、一体外観状態を保ちつつ温度変化に伴って上下方向に伸縮することができ、かかる温度変化に拘らずケースの前面の美観を良好に保持することができる。
【００３２】
上記請求項２のシャワー装置は、ハンドシャワー吐水部を備えたものとなしておくことができる。即ちケースから可撓性のシャワーホースが延び出して、その先端部にハンドシャワー吐水部が接続された形態のものとなしておくことができる（請求項３）。
【００３３】
このようなハンドシャワー吐水部を備えたシャワー装置即ち水栓装置にあっては、ハンドシャワー吐水部を使用する際に可撓性のシャワーホースが蓋体に引掛かってしまう恐れがあり、そしてそのことによって蓋体を外す方向に力が働いてしまう恐れがある。
しかるに本発明の取付構造では、蓋体が上部の引掛部と下部の引掛部とでしっかりと強固に取り付けられているため、このような場合においても蓋体が外れてしまうのを防止することができる。
【００３４】
本発明では、上記弾性部材をコイルばねとなしておくことができる（請求項４）。
弾性部材としてこのようなコイルばねを用いた場合、コイルばねを大きく撓ませることができるため、上部の引掛部及び下部の引掛部の相手側への引掛長さを長くとることが可能となり、そのことによって蓋体の取付強度をより高強度となすことができる。
しかもそのようになした場合においても、コイルばねを大きく撓ませることができるため、蓋体の脱着を簡単に行うことができる。
【００３５】
ところで上記ケース付きの水栓装置を公共施設に設置した場合、蓋体の取外しが簡単に行えることによって、取付状態の蓋体が悪戯によって取り外され、持ち去られてしまう恐れが生ずる。
ここにおいて請求項５は、蓋体の取付状態の下で上記支持棒の下向きの移動を、上記の壁部の裏側に引掛かった状態の上向きの引掛部が、その壁部から外れない範囲内に規制する規制部材をケースに脱着可能に設けたもので、このようにしておけば、規制部材を取り付けておくことで、悪戯によって蓋体が取り外されるのを有効に防止することができ、従って蓋体が持ち去られてしまうといった恐れを無くすことができる。
尚この規制部材は脱着可能なもので、蓋体を取り外す必要が生じたとき、この規制部材を取り外しておくことによって、蓋体を支障なく且つ簡単に取り外すことができる。
【００３６】
ここで上記規制部材は、ケースの底壁の下側から底壁を貫通して上向きにねじ込まれ、底壁から上向きに突出したストッパ部を支持棒に対し間接に若しくは直接に当接させることによって、支持棒の移動を規制するストッパボルトにて構成しておくことができる（請求項６）。
このようにすることで規制部材を簡単に設けることができ、また必要が生じたときには簡単にこれを取り外すことができる。
【００３７】
次に請求項７は蓋体の取付方法に関するもので、この取付方法では、蓋体の下向きの引掛部を支持棒に引掛けた状態で、弾性部材を弾性変形させつつ支持棒とともに下向きに押し下げ、しかる後蓋体の上端を部分開口における上側の内端縁に対向させた状態で下向きの押下力を除き、弾性部材の付勢力で蓋体の上端をその内端縁に当接させ、且つ上向きの引掛部を部分開口の上側で部分開口周りの壁部の裏側に引掛ける状態に蓋体を取り付ける。
この取付方法によれば、極めて簡単に部分開口を閉鎖する状態に蓋体を取り付けることができる。
【発明を実施するための最良の形態】
【００３８】
次に本発明の実施形態を図面に基づいて詳しく説明する。
図１及び図２において、１０はケース付きの縦長の塔状のシャワー装置（水栓装置）で、図２に示しているように浴室の壁面Ｗに接する状態に浴室内に設置されている。
この実施形態において、シャワー装置１０は縦長の箱体状のケース１２を有している。
【００３９】
ケース１２は、図３及び図１１に示しているように壁面Ｗ側のケース本体１４と前面カバー１６とを有している。
壁面Ｗ側の後側のケース本体１４は、後壁１４Ａと左右一対の側壁１４Ｂとを有する、横断面形状がコ字形状の部材（ここでは金属製）で、前面が室内側に向って開放されており、その前面の開放部が樹脂製（ここではアクリル樹脂製）の前面カバー１６にて閉じられている。
【００４０】
ケース１２は、その下端から上端までの上下方向寸法が約１７００ｍｍの上下に長いものであり、その下端が図２に示すように床面から所定距離上方に位置する状態で壁面Ｗに固定されている。従ってケース１２の上端は床面からの高さが１７００ｍｍよりも高位置、即ち浴室の天井に近い位置に位置している。
【００４１】
このシャワー装置１０では、前面カバー１６の上端部にオーバーヘッドシャワー吐水部１８が、また上端と下端との間の上下中間部にはボデーシャワー吐水部２０がそれぞれケース１２外に露出する状態で設けられ、更にケース１２の下面には吐水管（カラン）２２が水平方向に回転可能に設けられている。
またケース１２の図中左側の側方には、ハンドシャワー吐水部２４が同じくケース１２外に露出する状態で配置され、かかるハンドシャワー吐水部２４が、可撓性のシャワーホース２６にてケース１２の内側の後述の内部機能部７８に、回転可能なエルボ状の継手４２を介して接続されている。
【００４２】
ここでボデーシャワー吐水部２０は左右に２列に、且つ上下方向に５個所、全体として１０個所に設けられている。
詳しくはこのボデーシャワー吐水部２０は、最上部のボデーシャワー吐水部２０Ａ-１，２０Ｂ-１とその下側のボデーシャワー吐水部２０Ａ-２，２０Ｂ-２、更にその下側のボデーシャワー吐水部２０Ａ-３，２０Ｂ-３，更にその下側のボデーシャワー吐水部２０Ａ-４，２０Ｂ-４及び最下部のボデーシャワー吐水部２０Ａ-５，２０Ｂ-５から成っている。
【００４３】
本実施形態において、ボデーシャワー吐水部２０は、使用者の頭部より低い位置でシャワーをミスト状に使用者のボデーに向って前方に噴射するもので、このうちボデーシャワー吐水部２０Ａ-１，２０Ｂ-１は、使用者の胸部にミスト状のシャワー（ミストシャワー）を噴射する。
またボデーシャワー吐水部２０Ａ-２〜２０Ａ-４，２０Ｂ-２〜２０Ｂ-４は、使用者の腰部を中心として上下の所定範囲に亘ってミストシャワーを噴射するもので、このうちボデーシャワー吐水部２０Ａ-２，２０Ｂ-２は使用者のみぞおちを中心としてその周辺に、ボデーシャワー吐水部２０Ａ-３，２０Ｂ-３は使用者の丁度腰を中心としてその周辺に、更にボデーシャワー吐水部２０Ａ-４，２０Ｂ-４は使用者の太ももを中心としてその周辺にミストシャワーをそれぞれ噴射する。
また最下部のボデーシャワー吐水部２０Ａ-５，２０Ｂ-５は使用者の足元近くにミストシャワーを噴射する。
各ボデーシャワー吐水部２０Ａ-１〜２０Ａ-５及び２０Ｂ-１〜２０Ｂ-５の高さが、それぞれそのように定められている。
【００４４】
一方オーバーヘッドシャワー吐水部１８は、使用者に向けて頭上から下向きにシャワー水（ここではミスト状ではない）を噴射するもので、図２に示しているようにケース１２における前面カバー１６から前方にほぼ水平に延び出したパイプ３０と、パイプ３０の先端部に取り付けられた円盤状の散水板を有しており、その散水板に分散状に設けられた多数のシャワー孔３２から下向きにシャワー水を噴射する。
【００４５】
他方、吐水管２２は主として使用者が洗い場に座った状態で使用するもので、先端に吐水口３４を有し、この吐水口３４から吐水を１本の直流束で下向きに吐出する。
【００４６】
上記ハンドシャワー吐水部２４は、図１に示しているようにグリップ３６とヘッド３８とを有しており、そのヘッド３８には散水板が設けられていて、その散水板に多数のシャワー孔４０が分散状に設けられ、それらシャワー孔４０からシャワー水を噴射する。
ここでハンドシャワー吐水部２４は、ケース１２の図中左側面に突出状態に設けられたシャワーフック２８によって脱着可能に掛止されている。
【００４７】
前面カバー１６にはまた、図１に示しているように縦一列に合計４つの操作部が設けられている。
詳しくは、上から順にオーバーヘッドシャワー吐水部１８用の操作部４４，ボデーシャワー吐水部２０用の操作部４６，混合水の温度調節用の操作部４８、及び吐水管２２とハンドシャワー吐水部２４とで吐水を切り替えるための操作部５０が縦一列に設けられている。
これら回転ハンドル式の各操作部４４，４６，４８，５０には、それぞれ外周面から径方向外方に突出した指示部５２，５４，５６，５８が設けられており、それら指示部５２，５４，５６，５８が操作部周りの表示部のどの位置に位置しているかによって、現在の操作状態が分るようになしてある。
【００４８】
ここでオーバーヘッドシャワー吐水部１８用の操作部４４は、シャワー吐水状態と止水状態及び中間の温度確認位置との３位置に切替操作可能である。
同様にボデーシャワー吐水部２０用の操作部４６もまた、止水位置とシャワー吐水位置と中間の温度確認位置との３位置に切替操作可能である。更に吐水管２２とハンドシャワー吐水部２４からの吐水を切替操作する操作部５０は、図１に示しているように止水状態と吐水管２２からの吐水、ハンドシャワー吐水部２４からのシャワー吐水の３位置に切替操作可能である。
尚操作部４４，４６，５０は、それぞれ回転角度に応じて流量を変化させることのできる流調操作部も兼ねている。
【００４９】
図１〜図３に示しているように、前面カバー１６はその下端側の一部が、前面カバー１６の大部分をなすカバー本体６０と別体且つ脱着可能な蓋体６２とされており、この蓋体６２が取り外されることで前面に部分開口６４が形成されるようになっている。
また前面カバー１６詳しくはカバー本体６０には、図２及び図３に示しているように操作部４４，４６，５０に対応した遊嵌孔としての円形の貫通の挿通孔６８，７０，７４、及び操作部４８に対応した非遊嵌孔としての円形の貫通の挿通孔７２が縦一列に設けられており、更にボデーシャワー吐水部２０Ａ-１，２０Ａ-２，２０Ａ-３，２０Ａ-４，２０Ａ-５及び２０Ｂ-１，２０Ｂ-２，２０Ｂ-３，２０Ｂ-４，２０Ｂ-５にそれぞれ対応した遊嵌孔としての貫通の円形の挿通孔６６Ａ-１，６６Ａ-２，６６Ａ-３，６６Ａ-４，６６Ａ-５及び６６Ｂ-１，６６Ｂ-２，６６Ｂ-３，６６Ｂ-４，６６Ｂ-５がそれぞれ設けられている。
【００５０】
尚この前面カバー１６と対をなす後側のケース本体１４には、図３，図８，図９，図１１に示しているように一対の側壁１４Ｂに沿って縦方向に連続した内向きの鍔状部８０が設けられている。
また図３に示しているように後壁１４Ａの上部、詳しくは後述の水栓機構部７６よりも上側の上部において、一対の掛止開口８２，８４が後壁１４Ａを前後方向に貫通する状態で上，下に部分的に設けられている。更に後壁１４Ａの下端部には貫通の開口８６が設けられている。
【００５１】
これら前面カバー１６とケース本体１４とを有するケース１２の内部には、水栓機構部７６を有する内部機能部７８が収納されている。
ここで内部機能部７８は、後述の取付ブラケット９８，１００，１０４とともに予め組み付けられ、１つのユニットとして、予備組付状態でケース１２の内部に納められてケース１２に固定されている。
【００５２】
上記水栓機構部７６は、オーバーヘッドシャワー吐水部１８用の切替バルブ９０，ボデーシャワー吐水部２０用の切替バルブ９２，湯水の混合バルブ８８，吐水管２２からの吐水とハンドシャワー吐水部２４からのシャワー吐水との切替用の切替バルブ９４（各切替バルブ９０，９２，９４は流調バルブとしての機能も有する）及び後に詳述する冷水排水弁９６を有しており、それらが図６，図７，図８及び図１０に示す一体構成の金属製の平板状の共通の取付ブラケット（第１取付ブラケット。以下単にブラケットとする）９８に固定され、かかるブラケット９８がケース１２に固定されることで、水栓機構部７６の全体がケース１２に一体に固定されている。
【００５３】
ブラケット９８にはまた、ボデーシャワー吐水部２０Ａ-１〜２０Ａ-４及び２０Ｂ-１〜２０Ｂ-４も併せて固定されており（但し後述のフランジ部材１８０を除く）、それらが水栓機構部７６とともに１つのユニットとして、ブラケット９８を介しケース１２、詳しくはケース１２におけるケース本体１４に固定されている。
一方最下部の足元用のボデーシャワー吐水部２０Ａ-５，２０Ｂ-５については、ブラケット９８とは別体をなす金属製の平板状の取付ブラケット（第２取付ブラケット。以下単にブラケットとする）１００に固定され（フランジ部材１８０を除く）、かかるブラケット１００を介してケース１２におけるケース本体１４に固定されている。
【００５４】
更にオーバーヘッドシャワー吐水部１８に向けて給水を行う給水路上の継手１０２が、ブラケット９８とは別体をなす金属製の平板状の取付ブラケット（第２取付ブラケット。以下単にブラケットとする）１０４に固定され、かかるブラケット１０４を介してケース１２におけるケース本体１４に固定されている。
即ちこの実施形態では、図３に示す内部機能部７８の全体が１つのユニットとして、予備組付状態で、ブラケット９８，１００，１０４にてケース１２におけるケース本体１４に固定されている。
【００５５】
上記ブラケット９８は図６，図８及び図１０に示しているように、それぞれ正面形状が左右方向に長い矩形状をなす切替バルブ９０用の固定部３００，切替バルブ９２用の固定部３０２，混合バルブ８８用の固定部３０４，切替バルブ９４用の固定部３０６を有しており、更にそれら固定部３００〜３０６よりも左右及び上下方向寸法が小寸法で、正面形状が左右方向に長い矩形状をなすボデーシャワー吐水部２０Ａ-１，２０Ｂ-１用の固定部３０８，ボデーシャワー吐水部部２０Ａ-２，２０Ｂ-２用の固定部３１０，ボデーシャワー吐水部部２０Ａ-３，２０Ｂ-３用の固定部３１２及びボデーシャワー吐水部２０Ａ-４，２０Ｂ-４用の固定部３１４を有しており、更にそれらを上下方向に一体に連結する縦の一直線状の連結部３１６を有している。
【００５６】
固定部３００，３０２，３０４，３０６のそれぞれには、左右の中央部に、各バルブに一体に構成された、上記操作部４４，４６，４８，５０との連結用の連結部を通す円形の貫通の嵌合孔３１８が設けられ、また左右端には貫通の締結孔１０６が設けられていて、それら締結孔１０６に固定具としての固定ねじ、詳しくはここではビス１０８（図８参照）を挿通し、ケース本体１４の鍔状部８０に設けた固定孔としての雌ねじ孔１１０に、それらビス１０８をねじ込むことで、ブラケット９８がケース本体１４に締結固定されている。
尚、切替バルブ９０，９２，混合バルブ８８，切替バルブ９４のそれぞれは、対応する固定部３００，３０２，３０４，３０６のそれぞれに対して、ビス３２０にて固定されている（図１２，図１３参照）。
【００５７】
一方固定部３０８，３１０，３１２，３１４には、ボデーシャワー吐水部２０Ａ-１及び２０Ｂ-１，２０Ａ-２及び２０Ｂ-２，２０Ａ-３及び２０Ｂ-３，２０Ａ-４及び２０Ｂ-４をそれぞれ通す円形の貫通の嵌合孔３２２が設けられており、そこに各ボデーシャワー吐水部を挿通した状態で、それらがビス３２４（図１４及び図１６参照）にて対応する各固定部３０８，３１０，３１２，３１４にそれぞれ固定されている。
【００５８】
一方、ブラケット１００は正面形状が左右に長い矩形状をなしており、そこにボデーシャワー吐水部２０Ａ-５，２０Ｂ-５を通す円形の一対の貫通の嵌合孔３２２が設けられ、また四隅に締結孔１０６が設けられていて、その締結孔１０６においてビス１０８によりケース本体１４に固定されている。
また嵌合孔３２２にボデーシャワー吐水部２０Ａ-５，２０Ｂ-５を挿通した状態で、それらがビス３２４によりブラケット１００に取付固定されている。
【００５９】
同様にブラケット１０４もまた正面形状が左右に長い矩形状をなしていて、その左右中心部にオーバーヘッドシャワー吐水部１８用の継手１０２を通す円形の貫通の嵌合孔３２６が設けられ、またその四隅には締結孔１０６が設けられていて、その締結孔１０６においてビス１０８によりケース本体１４に固定されている。
尚、嵌合孔３２６に挿通された継手１０２は、ビス３２４にてブラケット１０４に取付固定されている（図９，図１７，図１８参照）。
これらの図に示しているように水栓機構部７６，ボデーシャワー吐水部２０，オーバーヘッドシャワー吐水部１８用の継手１０２及びそれらを互いに連絡する多数の配管を含む内部機能部７８は、ブラケット９８，１００，１０４の後面側（壁面Ｗ側）に固定してあり、かかる内部機能部７８をケース本体１４の前面の開放部からケース本体１４内部に挿入した状態で、各ブラケット９８，１００，１０４が、それぞれケース本体１４の前面側の部分、即ち開放側の部分に固定されている。
【００６０】
即ちこのようにしてブラケット９８，１００，１０４をケース本体１４に締結固定することで、後述の内部の各配管を含む内部機能部７８の全体が予備組付品、即ちユニットの状態でケース本体１４に固定されている。
尚、図１１に示しているようにケース本体１４の上壁１４Ｃは後壁１４Ａ，側壁１４Ｂとは別体に構成されていて、ビス１１２にて後壁１４Ａ及び側壁１４Ｂに固定されている。
詳しくは、図１１に示しているようにビス１１２を上壁１４Ｃの締結孔１１４に下向きに挿通した上、それらを後壁１４Ａ，側壁１４Ｂに沿って縦向きに設けた補強リブ１１６の上端部にねじ込むことで、かかる上壁１４Ｃが後壁１４Ａ及び側壁１４Ｂに締結固定されている。
【００６１】
図４に上記の内部機能部７８の構成が、ボデーシャワー吐水部２０，オーバーヘッドシャワー吐水部１８，ハンドシャワー吐水部２４，吐水管２２等とともに系統的な図として示してある。
図において、Ａ１，Ａ２は壁裏の給水元管Ｐ１，給湯元管Ｐ２に止水栓１１８を介して接続された内部給水用，給湯用の各配管で、端部が湯水の混合バルブ８８に接続され、かかる混合バルブ８８に対して水，湯が配管Ａ１，Ａ２を通じてそれぞれ供給される。
【００６２】
混合バルブ８８は、供給された水と湯とを図１の操作部４８の操作に応じて所定比率で混合し、適温の温調水（温度調節された湯）とする。
混合バルブ８８からの温調水は配管Ｂ，オーバーヘッドシャワー吐水部１８用の切替バルブ９０、更に配管Ｊを経由してオーバーヘッドシャワー吐水部１８へと送られ、シャワー孔３２からシャワー吐水される。
【００６３】
この実施形態では、切替バルブ９０がシャワー吐水位置にあるときには、配管Ｂと配管Ｊとが連通状態となって、混合バルブ８８からの温調水がシャワーヘッド吐水部１８へと送られ、そこからシャワー吐水される。
一方切替バルブ９０が止水位置にあるときには、配管Ｂと配管Ｊが遮断状態となり、混合バルブ８８からの温調水はオーバーヘッドシャワー吐水部１８へと供給されない。
【００６４】
一方、切替バルブ９０における図１の指示部５２が上向き位置にあるとき、即ち温度確認位置にあるときには、配管Ｂは配管Ｊと遮断状態とされる一方で、配管Ｅと連通状態となり、混合バルブ８８からの水が配管Ｅに分岐させられる。
配管Ｅに分岐した水は、冷水排水弁９６を経て吐水管２２に送られ、吐水管２２から下向きに吐水される。
尚このとき、配管Ｊ内の水もまた配管Ｃを通じて冷水排水弁９６から配管Ｄ側へと排水され、そして配管Ｄを経由して吐水管２２の吐水口３４から下向きに吐水される。
【００６５】
この実施形態において、配管Ｅ，配管Ｃ及び冷水排水弁９６は次のような意味を有している。
シャワー装置１０を一定時間使用しなかった状態で使用開始するとき、給湯器等の給湯源から延び出した給湯元管Ｐ２内の水は冷却状態即ち冷水の状態にある。
またオーバーヘッドシャワー吐水部１８側の配管Ｊ内の水もまた、長時間の放置による冷却によって冷水状態にある。
従ってこの状態で切替バルブ９０を操作してオーバーヘッドシャワー吐水部１８から吐水開始したときに、配管Ｊ内の冷水（配管内残水）及び配管Ｐ２内の冷水（配管内冷水）がシャワー吐水されてしまう。
【００６６】
そこでこの実施形態では、操作部４４を温度確認位置に位置させることで、配管Ｂと配管Ｅとを先ず連通状態とする。
この状態では、混合バルブ８８からの水は配管Ｂから配管Ｅへと分岐して流れ、そして配管Ｅからの流れによって冷水排水弁９６が開弁し、配管Ｅを通じて流れて来た冷水を配管Ｆ，吐水管２２を経て外部に排出する。
尚、冷水排水弁９６が開弁すると、このとき同時に配管Ｃと配管Ｄとが連通状態となり、オーバーヘッドシャワー吐水部１８側の配管Ｊ内に残っている冷たい残水が配管Ｃ，冷水排水弁９６，配管Ｄを流れて吐水管２２から外部に排出される。
そして冷水状態の配管内冷水及び残水が排出され、混合バルブ８８から温かい温調水が送り出されたところで、切替バルブ９０をシャワー吐水位置に切替操作することで、オーバーヘッドシャワー吐水部１８から温調水をシャワー吐水することができるのである。
【００６７】
図５は、冷水排水弁９６の構成をその作用とともに示したもので、図示のようにこの冷水排水弁９６は、バルブボデー１２０内部に弁体１２１を有している。
弁体１２１は、第１弁部１２２と、第２弁部１２４と、それらを連結する連結軸１２６を有しており、弁体１２１の図中上向きの移動により第１弁部１２２，第２弁部１２４が対応する各第１弁座１２８，第２弁座１３０から上向きに離間して開弁する。
そして第１弁部１２２の開弁により、流路１３２と１３４とが連通状態となり、また第２弁部１２４の開弁により流路１３６と１３８とが連通状態となる。
この冷水排水弁９６は、配管Ｅを通じて流路１３２内に混合バルブ８８からの水が図中上向きに流れ込むと、ダイヤフラム弁から成る第１弁部１２２がその給水の圧力により開弁し、配管Ｅを通じて流れて来た冷たい水を、流路１３２から流路１３４へと流通させる。流路１３４へと流れ込んだ水は、その後配管Ｆ内へと流通する。
【００６８】
この第１弁部１２２の開弁時にはまた、第２弁部１３０も開弁動作し、そして第２弁部１３０の開弁によって、流路１３６と流路１３８とが連通状態となる。
そしてそれら流路１３６と１３８との連通によって、配管Ｃを通じ、配管Ｊ内の冷たい残水が冷水排水弁９６へと流れ込み、そして流れ込んだ残水が、流路１３８から配管Ｄへと流通して、最終的に吐水管２２から外部に排出される。
尚、弁体１２１はコイルばね１４０にて常時閉弁状態に付勢されており、配管Ｅを通じて冷水排水弁９６に給水圧が導かれていないときには閉弁状態を保っている。
【００６９】
混合バルブ８８からの温調水はまた、図４に示すように配管Ｂ，ボデーシャワー吐水部２０用の切替バルブ９２を経て配管Ｉ１，Ｉ２へと導かれ、各ボデーシャワー吐水部２０Ａ-１〜２０Ａ-５及び２０Ｂ-１〜２０Ｂ-５からミスト状のシャワーとしてシャワー吐水される。
詳しくは、ボデーシャワー吐水部２０用の操作部４６をシャワー吐水位置に位置させておくと、切替バルブ９２が配管Ｂと配管Ｉ１，Ｉ２とを連通状態として、混合バルブ８８からの温調水が配管Ｉ１，Ｉ２へと導かれ、これら配管Ｉ１，Ｉ２と連通状態にある各ボデーシャワー吐水部２０Ａ-１〜２０Ａ-５及び２０Ｂ-１〜２０Ｂ-５からシャワー吐水される。
また一方操作部４６を止水位置に切り替えると、配管Ｂと配管Ｉ１，Ｉ２とは遮断状態となって、ボデーシャワー吐水部２０からのシャワー吐水が停止される。
【００７０】
この実施形態では、図１に示すようにボデーシャワー吐水部２０用の操作部４６もまた、温度確認位置へと切替操作可能であり、その切替操作を行ったとき、切替バルブ９２が図４の配管Ｂと配管Ｋとを連通状態とする。
このとき、配管Ｂは配管Ｋを通じて上記の配管Ｅと連通状態となり、従ってこの状態では混合バルブ８８からの冷水が、配管Ｋを経由して配管Ｅへと流れ込み、上記したのと同様にして冷水排水弁９６を経て外部に排出される。
【００７１】
配管Ｂにはまた、切替バルブ９４を介してハンドシャワー吐水部２４に連通した配管Ｇと、吐水管２２に連通した配管Ｈとが接続されている。
そして操作部５０を操作して切替バルブ９４を切替動作させ、配管Ｂと配管Ｇとを連通させることで、混合バルブ８８からの温調水がハンドシャワー吐水部２４へと導かれ、シャワー孔４０からシャワー吐水される。
一方、切替バルブ９４を配管Ｂと配管Ｈとを連通させる状態に切り替えると、混合バルブ８８からの温調水が配管Ｂから配管Ｈへと流れ、吐水管２２の吐水口３４から下向きに吐水される。
【００７２】
図６及び図７に、図４に示した各配管が切替バルブ９０，９２，９４，混合バルブ８８等とともに実際の配管状態で表してある。
これらの図に示しているように、本実施形態のシャワー装置１０の場合、多くの配管が複雑に錯綜した状態で各バルブとともに一体に繋がった上記の内部機能部７８を構成している。
【００７３】
図８において、ケース１２における前面カバー１６は、図３の内部機能部７８をケース本体１４に固定した後に、ケース本体１４に固定され、そしてその後において図１の操作部４４，４６，４８，５０の組付けが行われ、またオーバーヘッドシャワー吐水部１８，ボデーシャワー吐水部２０の前面カバー１６への固定が行われる。
【００７４】
図１２及び図１３に操作部４４〜５０の取付構造が、また図１４〜図１６にボデーシャワー吐水部２０の前面カバー１６への固定構造がボデーシャワー吐水部２０の構造とともに示してある。更に図１７，図１８にオーバーヘッドシャワー吐水部１８の前面カバー１６への固定構造が示してある。
前面カバー１６は、これら操作部４４〜５０，ボデーシャワー吐水部２０及びオーバーヘッドシャワー吐水部１８の組付けによって、同時にケース本体１４に対して前後方向に固定状態となる。
以下その詳細を各図に基いて具体的に説明する。
【００７５】
先ず図１２（Ａ）及び図１３は操作部４４，４６，５０の取付構造を、また図１２（Ｂ）は操作部４８の取付構造を示している。
図１２（Ａ）において、３３０は切替バルブ９０，９２，９４の操作部４４，４６，５０との連結部で、径方向外向きのフランジ部１４６を有する円筒形状の金属製のフランジ部材１４８を備えている。
ここでフランジ部材１４８は切替バルブ９０，９２，９４のバルブボデー１５０と別体に構成されている。
【００７６】
上記前面カバー１６は、径方向の外向き及び内向きの各フランジ部１４２，１４３を備えたリング状のスペーサ部材１４４を介してブラケット９８に当接させられ、そしてその状態でフランジ部材１４８が切替バルブ９０，９２，９４のそれぞれのバルブボデー１５０にねじ込まれることで、かかるブラケット９８を介しケース本体１４に固定される。
【００７７】
詳しくは円筒形状をなすフランジ部材１４８の筒状部を挿通孔６８，７０，７４に挿入した上、内周側の雌ねじ部１５２をバルブボデー１５０の雄ねじ部１５４に螺合し、更にこれをねじ込むことで、前面カバー１６がスペーサ部材１４４のフランジ部１４２とフランジ部材１４８のフランジ部１４６とにより内外両側から挟持される状態に、ブラケット９８を介しケース本体１２に各操作部４４，４６，５０の個所において固定される。
【００７８】
ここで挿通孔６８，７０，７４の内径はフランジ部材１４８の筒状部の外径よりも大径となしてあり、挿通孔６８，７０，７４とフランジ部材１４８との間、詳しくは連結部３３０における挿通孔６８，７０，７４への挿入部分との間には図１２（Ａ）に示しているように隙間Ｓ１が形成されている。
この実施形態において、隙間Ｓ１は挿通孔６８，７０，７４の何れにおいても同一で、ここでは隙間Ｓ１は上下及び左右方向の片側で２ｍｍ、両側で４ｍｍとされている。
即ち挿通孔６８，７０，７２と連結部３３０とは、前面カバー１６の長手方向及び幅方向に隙間Ｓ１をもって、それらの方向に相対的に位置移動可能に遊嵌状態に嵌合されている。
【００７９】
前面カバー１６は、温度調節用の操作部４８の位置を中心としてその上端、即ち温度変化によって最も伸縮量が大きくなる上端の伸縮量が約２．５〜３ｍｍ程度であり、操作部４４，４６，５０の個所における前面カバー１６の収縮量は当然それに対して小となる。
本実施形態では、上記の隙間Ｓ１は前面カバー１６が温度変化によって最大膨張したときにおいてもその膨張量を隙間Ｓ１において吸収できる大きさとして設定してある。
尚、隙間Ｓ１の大きさについては温度調節用の操作部４８に対応した挿通孔７２から上下方向に離れているものほど、その隙間を大きくしておいても良い。
【００８０】
上記のようにフランジ部材１４８におけるフランジ部１４６は挿通孔６８，７０，７４よりも大径とされており、挿通孔６８，７０，７４と連結部３３０、詳しくはフランジ部材１４８の筒状部との間に隙間Ｓ１が生じているにも拘らず、その隙間Ｓ１はフランジ部１４６によって前面カバー１６の前面側で隠蔽されている。
【００８１】
回転ハンドル式の操作部４４，４６，５０は円筒形状の内筒部１５５を有しており、その内筒部１５５が、外周面と内周面とにセレーション部を有するダブルセレーションリング１５６を介して、スピンドル１５８に一体回転状態に連結され、更にはそのスピンドル１５８を介して弁体１６０に一体回転状態に連結されている。
【００８２】
ここでダブルセレーションリング１５６は、外周面のセレーション部を、操作部４４，４６，５０の内筒部１５５の内周面のセレーション部にセレーション結合させ、また内周面のセレーション部を、スピンドル１５８の外周面のセレーション部にセレーション結合させ、それらのセレーション結合に基いて、スピンドル１５８を操作部４４と一体に回転させる。
操作部４４，４６，５０はまた、固定ビス１６２によってスピンドル１５８にねじ固定され、図中左方向に抜け防止されている。
【００８３】
図１２（Ｂ）に示しているように、温度調節用の操作部４８の取付構造もまた基本的に操作部４４，４６，５０の取付構造と同様である。
但し図１２（Ｂ）に示す取付構造では、混合バルブ８８の操作部４８との連結部３３０に備えられたフランジ部材１４８に対して、詳しくはその円筒状をなす筒状部の外周面に対して、対応する挿通孔７２が同等径とされていて、フランジ部材１４８の筒状部即ち操作部４８の連結部３３０と挿通孔７２とが実質隙間のない状態で非遊嵌状態で互いに嵌合されている。
【００８４】
従って樹脂製の前面カバー１６が温度変化により膨張収縮を生じたとき、前面カバー１６はこの操作部４８の取付個所、即ち連結部３３０と挿通孔７２との嵌合部分を中心とし、そこを基準として上下方向に伸縮する。
即ち前面カバー１６は温度変化による膨張，収縮を生じる際においても、操作部４８詳しくはその連結部３３０に対して上下方向に固定状態に保持される。
尚図１２（Ｂ）において、混合バルブ８８の弁体はスピンドル１５８から図中右方向に離れた位置にあり、図示は省略されている。
【００８５】
尚図１２（Ｂ）において、挿通孔７２とフランジ部材１４８の筒状部との間には必要最小限の嵌合クリアランスが設けてある。その嵌合クリアランスの寸法は、径方向の片側で０．２ｍｍ、両側で０．４ｍｍである。
但し図１２（Ａ）の挿通孔６８，７０，７４においては、隙間Ｓ１は最低でも２．０ｍｍ以上確保しておく。
【００８６】
図１４及び図１５は、ボデーシャワー吐水部２０Ａ-１，２０Ｂ-１の要部の構成を、前面カバー１６への固定構造とともに示している。
図に示しているように、ボデーシャワー吐水部２０Ａ-１，２０Ｂ-１は、ノズルボデー１６４に一体に構成されたハウジング本体１６６と、これに螺合されたキャップ１６８とからなるノズルハウジング１７０によって、ノズル１７２の球面状をなす嵌合部１７４を三次元方向に回転可能に嵌合し、保持している。
【００８７】
ノズル１７２の内部は、ノズルハウジング１７０の内部に連通しており、送られてきた温調水が、ノズル１７２の内部を通って先端のノズル孔１７６から噴射される。
このノズル１７２の内部には、ノズル１７２内部を通る水の流れに旋回流を発生させる旋回部１７８が設けられており、この旋回部１７８の作用によって、ノズル孔１７６からの噴射水がノズル孔１７６を出たところで広角度に拡散せしめられ、その作用によって噴射水がミスト状のシャワーとなる。
【００８８】
１８０はボデーシャワー吐水部２０Ａ-１，２０Ｂ-１に備えられた金属製のフランジ部材で、径方向外向きのフランジ部１８２を有している。
このフランジ部材１８０は、内周面に雌ねじ部１８４を有しており、その雌ねじ部１８４がノズルハウジング１７０におけるキャップ１６８の外周面の雄ねじ部１８６に螺合されている。
【００８９】
この図１４及び図１５に示す固定構造では、フランジ部材１８０をノズルハウジング１７０にねじ込むことで、ボデーシャワー吐水部２０Ａ-１，２０Ｂ-１が前面カバー１６に固定され、また同時に前面カバー１６がボデーシャワー吐水部２０Ａ-１，２０Ｂ-１の個所で、ブラケット９８を介しケース本体１４に固定される。
図１４において、挿通孔６６Ａ-１，６６Ｂ-１はフランジ部材１８０の筒状部の外径よりも大径となしてあり、それらの間に隙間Ｓ２を形成する状態で、フランジ部材１８０の筒状部即ちボデーシャワー吐水部２０Ａ-１，２０Ｂ-１と挿通孔６６Ａ-１，６６Ｂ-１とが、前面カバー１６の長手方向及び幅方向に遊嵌状態で嵌合されている。
尚、ボデーシャワー吐水部２０Ａ-５，２０Ｂ-５の構成及び前面カバー１６への固定構造もまた、基本的に図１４に示すのと同様である。
ボデーシャワー吐水部２０Ａ-１，２０Ｂ-１，２０Ａ-５，２０Ｂ-５用のフランジ部材１８０には、内周側にテーパ面１８８が設けられていて、そのテーパ面１８８の周方向２個所に係合溝１９０が形成され、その係合溝１９０に板状の工具１９２（図１５（Ｂ）参照）の係合部１９４を係合させ、その状態で工具１９２を回転させることでフランジ部材１８０を脱着できるようになしてある。
【００９０】
図１６は、ボデーシャワー吐水部２０Ａ-２〜２０Ａ-４，２０Ｂ-２〜２０Ｂ-４の要部構造を、前面カバー１６への固定構造とともに具体的に示したものである。
図において、１９８はボデーシャワー吐水部２０Ａ-２〜２０Ａ-４，２０Ｂ-１〜２０Ｂ-４のノズルで、ここではノズル１９８は、ノズルボデー２００のノズルハウジング２０２に水平方向の向きで固定状態に保持されている。即ちノズルの向きが一定の固定状態で保持されている。
但しノズル１９８を含むボデーシャワー吐水部２０Ａ-２〜２０Ａ-４，２０Ｂ-２〜２０Ｂ-４の前面カバー１６への固定構造は、基本的に図１４及び図１５に示したのと同様である。
【００９１】
即ちボデーシャワー吐水部２０Ａ-２〜２０Ａ-４，２０Ｂ-２〜２０Ｂ-４は、それぞれフランジ部材２０６を備えており、かかるフランジ部材２０６の筒状部が、挿通孔６６Ａ-２〜６６Ａ-４，６６Ｂ-１〜６６Ｂ-４内に挿入されている。
そしてその内周側の雌ねじ部１８４が、ノズルハウジング２０２の外周側の雄ねじ部１８６にねじ込まれることで、ボデーシャワー吐水部２０Ａ-２〜２０Ａ-４，２０Ｂ-２〜２０Ｂ-４が前面カバー１６に固定され、また同時に前面カバー１６がボデーシャワー吐水部２０Ａ-２〜２０Ａ-４，２０Ｂ-２〜２０Ｂ-４の個所でブラケット９８を介しケース本体１４に固定されている。
【００９２】
またこれらボデーシャワー吐水部２０Ａ-２〜２０Ａ-４，２０Ｂ-２〜２０Ｂ-４においても、それらに対応する挿通孔６６Ａ-２〜６６Ａ-４，６６Ｂ-１〜６６Ｂ-４が、各対応するボデーシャワー吐水部２０Ａ-２〜２０Ａ-４，２０Ｂ-２〜２０Ｂ-４、詳しくはフランジ部材２０６の筒状部に対して大径とされており、それらが隙間Ｓ２を形成する状態で、前面カバー１６の長手方向及び幅方向に遊嵌状態に嵌合されている。
【００９３】
尚この実施形態では、図１４の隙間Ｓ２については径方向の片側で３ｍｍとされ、また図１６の隙間Ｓ２については径方向の片側で１．８ｍｍとされている。
これらの隙間もまた、それぞれの位置する個所における前面カバー１６の温度変化による膨張，収縮量を十分に吸収し得る隙間とされている。
尚このフランジ部材２０６においても、内周側にテーパ面１８８が設けられていて、そのテーパ面１８８の周方向の１８０°隔たった２個所に上記の係合溝１９０が形成され、この係合溝１９０において専用の工具１９２を用い、フランジ部材２０６を回転操作し、脱着可能となしてある。
【００９４】
図１７及び図１８は、オーバーヘッドシャワー吐水部１８の取付構造を具体的に示している。
図中１０２は、オーバーヘッドシャワー吐水部１８用の継手で、この継手１０２は、ビス１０８にて前述したブラケット１０４に固定され、かかるブラケット１０４を介してケース本体１４に固定されている。
継手１０２は、前面カバー１６に形成された円形の貫通の挿通孔２０８を通過して図中左側、即ち前面カバー１６の前側に突出せしめられている。
【００９５】
３３２は継手１０２におけるオーバーヘッドシャワー吐水部１８、具体的にはパイプ３０との連結部で、円筒形状をなしており、かかる連結部３３２が挿通孔２０８に挿入されている。
図１７において、挿通孔２０８は連結部３３２よりも大径となしてあり、かかる挿通孔２０８と連結部３３２との間に環状の隙間Ｓ３が形成されている。即ち連結部３３２と挿通孔２０８とが、前面カバー１６の長手方向及び左右方向に隙間Ｓ３をもって遊嵌状態に嵌合されている。
つまりこの実施形態では、温調用の操作部４８に対応した挿通孔７２に対して、それより上位置及び下位置にある挿通孔の全てが、それら挿通孔への挿入部分に対し隙間をもって遊嵌する遊嵌孔とされている。
この実施形態において、隙間Ｓ３は最も大きく、この例では径方向の片側で５ｍｍ、両側で１０ｍｍの隙間とされている。
【００９６】
この継手１０２の連結部３３２の外周面には、図１８（Ｂ）に詳しく示しているように雄ねじ部２１０が形成されている。またその端面には、周方向に１８０°隔たった２個所に、オーバーヘッドシャワー吐水部１８におけるパイプ３０の回転方向の位置決突起２１２が設けられている。
【００９７】
一方パイプ３０側には、図１７（Ｂ）及び図１８（Ａ）に示しているように、雄嵌合面２１４が設けられていて、その雄嵌合面２１４にシールリングとしてのＯリング２１６が保持されている。
ここではその雄嵌合面２１４を、継手１０２の雌嵌合面２１８にＯリング２１６を介して嵌合させることで、パイプ３０が継手１０２に水密に接続される。
【００９８】
一方パイプ３０の側には、雄嵌合面２１４の図中左側の位置に径方向外向きのフランジ部２１９が設けられている。またそのフランジ部２１９には、上記の位置決突起２１２に対応する周方向の２個所において、切落し形状の位置決用の係合面２２０が形成されている。
パイプ３０は、この係合面２２０を位置決突起２１２に係合させるようにして、雄嵌合面２１４を継手１０２の雌嵌合面２１８に嵌入させることで、Ｏリング２１６を介し水密に継手１０２に接合される。
【００９９】
その状態で、内周側に雌ねじ部２２２及び内向きのフランジ部２２４を有する袋ナット２２６を、雌ねじ部２２２において継手１０２の雄ねじ部２１０にねじ込み、そして図１７（Ｂ）に示しているように袋ナット２２６の内向きのフランジ部２２４を、パイプ３０の外向きのフランジ部２１９に係合させることで、パイプ３０と継手１０２とが軸方向に締結される。
【０１００】
図１７（Ａ）及び図１８（Ａ）において、２２８はパイプ３０と継手１０２との連結部分を外側から覆う、化粧リングを兼ねたパイプ３０の前面カバー１６への固定用の固定リングで、径方向内向きのフランジ部２３０を有しており、そのフランジ２３０の内周面に雌ねじ部２３２が設けられている。
一方パイプ３０には、フランジ部２１９の図中左側位置に雄ねじ部２３４が設けられている。
【０１０１】
この実施形態では、固定リング２２８の雌ねじ部２３２をパイプ３０側の雄ねじ部２３４に螺合し、更にその状態で固定リング２２８を図中右向きにねじ込んで、図中右端を前面カバー１６に当接させ、強く締め付けることでパイプ３０が、即ちオーバーヘッドシャワー吐水部１８が前面カバー１６に固定され、また同時に前面カバー１６がブラケット１０４を介してケース本体１４に固定される。
【０１０２】
図１９，図２０及び図２１に、図１に示す前面カバー１６の一部をなす下部の蓋体６２の脱着構造が具体的に示してある。
図３にも示しているように、蓋体６２の裏面（内面）には、その下部に下向きの一対のフック形状の引掛部２５０が設けられており、またその上端部には上向きの一対の引掛部２５２が上向きに突出する形状で設けてある。
ここで上向きの一対の引掛部２５２は、縦のリブ２５４のそれぞれの上端部に一体に構成してある。
【０１０３】
一方ケース１２、詳しくはケース本体１４の底壁１４Ｄには、図２０に示しているように、吐水管２２用の継手２５６を挿通する開口２５８が設けられるとともに、その上面には左右一対のガイド部材２６０が立設されている。
これらガイド部材２６０は、一対の側壁２６２と、内壁２６４とを有する横断面形状がコ字形状の部材で、その内壁２６４に上下に長い長孔状のガイド孔２７４が設けられ、また下端部には折曲げ形状の固定部２６６が設けられている。
【０１０４】
そしてこれらガイド部材２６０は、底壁１４Ｄの下側から締結孔２６８を通じて上向きに差し込まれたボルト２７０とナット２７２とによって、固定部２６６において底壁１４Ｄの上面にそれぞれ固定されている。
これらガイド部材２６０の側壁２６２と内壁２６４とで囲まれた空間には、金属製のコイルばね２７６が収容されている。そしてそれらコイルばね２７６の上端部に、支持棒２８４の両端部に固定される端部部材２７８がそれぞれ装着されている。
これら端部部材２７８は、コイルばね２７６への下向きの挿入部２８０（図２１参照）と、支持棒２８４を挿通させる貫通の挿通孔２８２とを有している。
【０１０５】
支持棒２８４は、蓋体６２の上記下向きの引掛部２５０を前後方向（壁面Ｗ，後壁１４Ａ，蓋体６２の裏面と直角方向）に位置固定に掛止させ、その状態で蓋体６２を支持する部材で、両端側が端部部材２７８の挿通孔２８２に挿通され、そして端部部材２７８のそれぞれの外側で、図２０に示しているように支持棒２８４に形成された環状溝２８８に弾性止め輪２９０が嵌込装着されることで、かかる支持棒２８４が一対の端部部材２７８に対して軸方向に位置決めされ、且つそれら端部部材２７８から抜け防止されている。
【０１０６】
尚、支持棒２８４は一対のガイド部材２６０のガイド孔２７４を挿通した状態に組み付けられており、その状態において支持棒２８４にはコイルばね２７６の上向きの付勢力が常時作用している。
従って蓋体６２を取り外した状態の下では、図２３（Ｂ）に示しているように支持棒２８４は、ガイド孔２７４の上端に当接した状態にある。
【０１０７】
上記蓋体６２は、下部の下向きの一対の引掛部２５０を支持棒２８４に掛止させ、また上端部の上向きの一対の引掛部２５２を、前面カバー１６におけるカバー本体６０の下端部裏面、即ちカバー本体６０の下端部分にて部分開口６４の上側に形成される、部分開口６４周りの壁部の裏側に前後方向に位置固定に掛止させる状態に保持される。
尚蓋体６２は、取付状態でその裏面が後側のケース本体１４の前端に当接し、後方への押込端が規定される。
このとき、蓋体６２に対しては一対のコイルばね２７６による上向きの付勢力が支持棒２８４を介して作用しており、従って蓋体６２は、一対のコイルばね２７６の付勢力に基いてその上端をカバー本体６０の下端、即ち部分開口６４における上側の内端縁に当接させ、密着させた状態に保持されている。
この状態で蓋体６２は、次のようにして簡単にこれを取り外すことができる。
【０１０８】
即ち、蓋体６２を一対のコイルばね２７６の上向きの付勢力に抗して下向きに押し下げる。これにより一対の上向きの引掛部２５２の、カバー本体６０に対する掛止が外れるから、そこで図１９（Ｉ）に示しているように蓋体６２の上端部がカバー本体６０から室内側に離れる方向に蓋体６２を傾斜させ、その状態で蓋体６２全体を上向きに持ち上げることで、蓋体６２を簡単に取付状態から外すことができる。
そしてこの蓋体６２を外すことによって、前面カバー１６の下端部に部分開口６４が生じる。
【０１０９】
一方蓋体６２を取り付けるには、これと逆の操作を行えば良い。
具体的には、蓋体６２の下部の一対の引掛部２５０を支持棒２８４に引掛け、その状態で下向きに力を加えて、蓋体６２を支持棒２８４とともにコイルばね２７６を撓ませながら押し下げる。
そして蓋体６２の上端をカバー本体６０の下端（部分開口６４の上側の内端縁）に対し上向きに対向させた状態とし、その状態で下向きに加えていた力を除くと、蓋体６２がコイルばね２７６の付勢力により、支持棒２８４とともに上向きに移動して、その上端がカバー本体６０の下端に密着状態に当接し、またこのとき同時に上部の上向きの一対の引掛部２５２が、カバー本体６０の下端部の裏面に掛止した状態となる。
【０１１０】
尚、前述したように蓋体６２はこれを後方、即ち壁面Ｗ側に押し込んだときに、その裏面がケース本体１４における一対の側壁１４Ｂの前端（当接部）に当接し、その当接によって押込端が規定される。即ち蓋体６２が前後方向に位置決めされる。
このとき蓋体６２は、その上端がカバー本体６０の下端に対し上向きに対向した状態となり、蓋体６２の前面がカバー本体６０の前面と面一状態となる。
尚本実施形態では、蓋体６２を取り付ける際、コイルばね７６を少なくとも５ｍｍ程度圧縮変形させることによって取付可能である。上向きの一対の引掛部２５２が、これに対応した突出寸法で上向きに突出せしめられている。
【０１１１】
本実施形態では、シャワー装置１０を壁面Ｗに施工現場にて取付施工するのに先立って、予めシャワー装置１０を組み付けた状態としておく。
具体的には、水栓機構部７６を含む内部機能部７８の全体を先ずブラケット９８，１００，１０４に固定して、それら全体を１つのユニットをなす予備組付品となしておき、その状態でこれをブラケット９８，１００，１０４にてケース本体１４に固定する。
その際、内部機能部７８をケース本体１４の前面の開放部よりケース本体１４内に挿入し、その状態でブラケット９８，１００，１０４をケース本体１４の鍔状部８０に締結し、ケース本体１４に取付固定する。
【０１１２】
その後、内部機能部７８をブラケット９８，１００，１０４とともに前側から覆うようにして、前面カバー１６をケース本体１４に固定し、ケース１２を構成するとともに、その内部に内部機能部７８を収納状態とする。
そしてその状態でシャワー装置１０を施工現場に搬入して、そこでこれを壁面Ｗに取付施工する。
詳しくは、図２，図２２に示しているように壁面Ｗにバックハンガーブラケット２３６，２３８を、ケース本体１４の後壁１４Ａに形成した上下一対の掛止開口８２，８４に対応する高さ位置に固定ねじ２４０等によって予め固定しておき、そしてシャワー装置１０におけるケース本体１４の後壁１４Ａの掛止開口８２，８４に、バックハンガーブラケット２３６，２３８の壁面Ｗから突出した形状の掛止凸部２４４を挿入させる状態に、ケース１２をそれら掛止開口８２，８４においてバックハンガーブラケット２３６，２３８に掛止する。
そしてそれらバックハンガーブラケット２３６，２３８にてシャワー装置１０の重量を支持させた状態とする。
【０１１３】
尚一対のバックハンガーブラケット２３６，２３８は、壁面Ｗに密着状態で固定される、掛止開口８２，８４に対応した幅の板状の固定部２４６と、その上端から斜め上向きに固定部２４６と同幅で突出した掛止凸部２４４と、掛止凸部２４４及び固定部２４６を幅方向両端で連結する板状の補強部２４２とを有する形態をなしている。
図２３（Ａ）は、そのバックハンガーブラケット２３６にケース本体１４の後壁１４Ａが掛止されることで、シャワー装置１０の重量が支持された状態を表している。
【０１１４】
尚、このときケース１２の前面カバー１６に操作部４４〜５０を予め設けておいても良いし、またシャワー装置１０を壁面Ｗに固定した後において、前面カバー１６に操作部４４〜５０を設けるようにしても良い。
また同様にオーバーヘッドシャワー吐水部１８や、ハンドシャワー吐水部２４，吐水管２２等を予め取り付けておいても良いし、或いはシャワー装置１０を壁面Ｗに固定した後において、それらを取り付けるようになしても良い。
【０１１５】
さてこのようにしてシャワー装置１０におけるケース１２をバックハンガーブラケット２３６，２３８に掛止して重量を支持させた後、予め蓋体６２の取外しによって生じている部分開口６４を通じて、図２３（Ｂ）に示しているようにケース本体１４の後壁１４Ａに設けてある固定孔２９２に固定ねじ２９４を挿通し、且つそれらを壁面Ｗにねじ込むことで、ケース１２を壁面Ｗに固定する。ここにおいてケース１２を壁面Ｗに取付状態となすことができる。
【０１１６】
尚この実施形態では、部分開口６４を通じてケース本体１４の後壁１４Ａを壁面Ｗに固定するのと併せて、その部分開口６４を通じて、図１９の給水元管Ｐ１，給湯元管Ｐ２と配管Ａ１，Ａ２とを継手２９６（図１９参照）を介して接続作業する。
また同じ部分開口６４を作業開口として止水栓１１８を操作し、水量調節を行う。
そのような作業を終えた後に再び蓋体６２を装着し、部分開口６４を閉鎖する。
【０１１７】
このとき、蓋体６２は次のようにして簡単に装着することができる。
即ち、蓋体６２の下向きの一対の引掛部２５０を、図２０（図２３（Ｂ））の支持棒２８４に掛止させ、そして図１９（Ｉ）に示しているように蓋体６２に下向きの力を加えて一対のコイルばね２７６を撓ませながら蓋体６２を下向きに押し、その状態で蓋体６２の上端部をケース内方向に押し込み、一対の上向きの引掛部２５２をカバー本体６０の裏面側に位置させる。
【０１１８】
その状態で蓋体６２に加えていた下向きの押込力を除くと、図１９（II）に示しているように蓋体６２が一対のコイルばね２７６の付勢力によって上向きに押し上げられ、一対の上向きの引掛部２５２がカバー本体６０の下端裏面に掛止するとともに、蓋体６２の上端がカバー本体６０の下端に密着状態に当接した状態となる。
ここにおいて蓋体６２が、カバー本体６０と一体の外観を有する前面カバー１６の一部となって、カバー本体６０とともにケース本体１４の前面の開放部全体を閉鎖した状態となる。
【０１１９】
以上のような本実施形態では、蓋体６２の上部の上向きの引掛部２５２と下部の下向きの引掛部２５０とが、相手側に掛止した状態に蓋体６２が取り付けられるため、蓋体６２が強固に固定状態となり、従ってシャワー装置１０の使用中に蓋体６２に使用者の身体や物品が当る等して、蓋体６２に不意の外力が加わるようなことがあっても、蓋体６２がその不意の外力によって外れてしまう恐れがなく、蓋体６２をしっかりと固定状態に保持することができる。
【０１２０】
一方でこの取付構造では、蓋体６２の下部の下向きの引掛部２５０を支持棒２８４に引掛けた上、支持棒２８４を介してコイルばね２７６を弾性変形させることで、簡単に部分開口６４を閉鎖させる状態に蓋体６２を取り付けることができ、或いはその取付状態の下で、コイルばね２７６を弾性変形させるように下向きに押し下げることで、簡単に蓋体６２を取り外すことができ、従って本実施形態によれば、素手で簡単に蓋体６２を着脱操作することができる。
【０１２１】
また取付状態においては、コイルばね２７６の上向きの付勢力によって、蓋体６２の上端を部分開口６４における上側の内端縁に当接させ、それらを密着状態に保持しておくことができ、それら蓋体６２の上端と部分開口６４における上側の内端縁との間に隙間が生じてしまうのを防止することができる。
即ち蓋体６２によって部分開口６４を良好に閉鎖した状態となしておくことができる。
【０１２２】
加えて本実施形態では、蓋体６４の下部の引掛部２５０を支持棒２８４に引掛けて、外れ防止するようになしていることから、部分開口６４の下側に引掛部２５２を引掛けるための壁部が存在していなくても、良好に蓋体６４を強固な固定状態で取り付けることができる。
【０１２３】
更にコイルばね２７６の付勢力を支持棒２８４を介して蓋体６２に加えるようになしているため、蓋体６２自体にコイルばね２７６の付勢力を受ける受部を特に設けておかなくてもよく、蓋体６２の構造を簡単化でき且つこれを薄く構成しておくことができる。
【０１２４】
また本実施形態では、縦長のシャワー装置のケース１２を、ケース本体１４とその前面の開放部を閉じる樹脂製の前面カバー１６とで構成しているため、ケース１２付きのシャワー装置１０の美観を良好とし、意匠性を高めることができる。
【０１２５】
一方で前面カバー１６を樹脂製としておくことにより、かかる樹脂製の前面カバー１６が温度変化によって上下方向に大きく熱膨張、収縮し易い問題を生ずるが、本実施形態では前面カバー１６を上下方向に伸縮可能に設けてあるため、温度変化により前面カバー１６に歪みが発生して、前面カバー１６が変形してしまうのを防止することができる。
【０１２６】
この場合、部分開口６４を閉鎖する蓋体６２を上下方向に位置固定状態に取り付けておくと、前面カバー１６の上下方向の伸縮によって、詳しくは部分開口６４の上側のカバー本体６０における下端部分が上下に移動することによって、蓋体６２の上端と部分開口６４における上側の内端縁との間に隙間が生じたり、或いは蓋体６２に対して下向きに無理な力が加わってしまう。
【０１２７】
しかるに本実施形態では蓋体６２が上下に移動で、且つコイルばね２７６にて上向きに付勢されているため、カバー本体６０における下端部分の上下移動に追従して蓋体６２がこれと一体に移動することができ、従ってカバー本体６０における下端部分の上向きの移動によって、蓋体６２と部分開口６４における上側の内端縁との間に隙間を生ぜしめることがない。
【０１２８】
また逆にカバー本体６０の下端部分、詳しくは部分開口６４における上側の内端縁が、カバー本体６０の伸張により下向きに移動したときには、蓋体６２がコイルばね２７６を弾性変形させながらこれに追従して下向きに一体に移動するため、蓋体６２に対して無理な力が加わって蓋体６２に大きな負荷がかかってしまうこともない。
【０１２９】
この結果、蓋体６２とその上側のカバー本体６０とで構成される前面カバー１６は、一体外観状態を保ちつつ、温度変化に伴って上下方向に伸縮することができ、かかる温度変化に拘らずケース１２の前面の美観を良好に保持することができる。
【０１３０】
本実施形態のシャワー装置１０はハンドシャワー吐水部２４を備えており、この場合ハンドシャワー吐水部２４を使用する際に可撓性のシャワーホース２６が蓋体６２に引掛かってしまう恐れがあり、そのことによって蓋体６２を外す方向に力が働いてしまう恐れがある。
しかるに本実施形態では蓋体６２が、上部の引掛部２５２と下部の引掛部２５０とでしっかりと強固に取り付けられているため、このような場合においても蓋体６２が外れてしまうのを防止することができる。
【０１３１】
更に本実施形態では、弾性部材としてコイルばね２７６を用いており、この場合コイルばね２７６が大きく撓むことができるため、上部の引掛部２５２及び下部の引掛部２５０の相手側への引掛長さを長くとることが可能となり、そのことによって蓋体６２の取付強度をより高強度となすことができる。
しかもそのようになした場合においても、コイルばね２７６を大きく撓ませることができるため、蓋体６２の脱着を簡単に行うことができる。
【０１３２】
次に図２４〜２６は、シャワー装置１０を公共施設に設置した場合において、悪戯により蓋体６２がシャワー装置１０から取り外され、持ち去られてしまうのを防止するため、支持棒２８４の下向きの移動を規制する規制部材を設けた例を示している。
これらの図において、３４０はその規制部材としてのストッパボルトで、ねじ軸部から成るストッパ部３４２と、これよりも大径をなす頭部３４４とを有している。
ここで頭部３４４には、これを回転操作するための工具の係合用の係合凹部３４５が設けられている。
【０１３３】
上記底壁１４Ｄには、一対の端部部材２７８の直下の位置に貫通の雌ねじ孔３４６が設けられおり、そこにストッパボルト３４０が、底壁１４Ｄを下側から貫通して上向きにねじ込まれ、底壁１４Ｄに取り付けられるようになっている。
尚、３４８は頭部３４４と底壁１４Ｄとの間に介在せしめられるワッシャである。
【０１３４】
一方、端部部材２７８の上記の挿入部２８０は図中下向きに大きく突出せしめられており、その下端部が、ストッパボルト３４０のストッパ部３４２に対して下向きに対向し、ストッパ部３４２に対して当接する当接部３５０とされている。
【０１３５】
図２６（II）は、ストッパボルト３４０を底壁１４Ｄに取り付けた状態を表しており、このときストッパボルト３４０のストッパ部３４２が、端部部材２７８の下向きの当接部３５０に対向した位置において底壁１４Ｄから上向きに大きく突出した状態となる。
【０１３６】
この状態の下では、蓋体６２を取り外そうとしてコイルばね２７６を撓ませながら蓋体６２を下向きに大きく押し下げようとしても、蓋体６２が僅かに下向きに移動したところで、当接部３５０がストッパボルト３４０のストッパ部３４２に当接し、それ以上蓋体６２を押し下げることができない。
【０１３７】
即ち上向きの引掛部２５２をカバー本体６０の下端への掛止から外すことができない。そのようにストッパボルト３４０のストッパ部３４２の突出長さが予め定めてある。
従ってストッパボルト３４０を底壁１４Ｄに取り付けた状態の下では、蓋体６２を取り外すことができない。従って悪戯によって蓋体６２が持ち去られてしまうのを確実に防止することができる。
【０１３８】
一方蓋体６２を取り外す必要が生じたときには、ストッパボルト３４０を底壁１４Ｄから取り外しておけば良い。
図２６（Ｉ）はこのときの状態を表している。
この状態の下では、コイルばね２７６を撓ませながら蓋体６２を下向きに大きく押し下げることができ、上向きの引掛部２５２をカバー本体６０の下端から外すことができ、支障無く蓋体６２を取り外すことができる。
【０１３９】
尚、図２４に示しているように蓋体６２とケース本体１４との間には、脱落防止装置３５２が設けられている。
ここで脱落防止装置３５２は、ケース本体１４詳しくはブラケット１００に固定されたリング３５４と、これに結合されたクリップ３５６と、クリップ３５６を蓋体６２に連結するワイヤ等の連結材３５８及び蓋体６２に固定の取付部材３６０とを有しており、それらによって蓋体６２がケース本体１４に連結状態に保持され、蓋体６２がケース本体１４から脱落防止されている。
尚、クリップ３５６をリング３５４から外すことによって、蓋体６２とケース本体１４との連結状態を解除することが可能である。
【０１４０】
この例によれば、ストッパボルト３４０を底壁１４Ｄにねじ込み取り付けておくことで、蓋体６２が取り外され、更に持ち去られてしまうのを有効に防止することができる。
一方において蓋体６２をケース本体１４から取り外す必要が生じたときには、ストッパボルト３４０を底壁１４Ｄから抜き取っておくことで、蓋体６２を支障無くケース本体１４から取り外すことができる。
【０１４１】
以上本発明の実施形態を詳述したがこれはあくまで一例示である。
例えば上記実施形態は、本発明のカバー付きの水栓装置をシャワー装置に適用した場合の実施形態であるが、本発明はシャワー装置以外の通常のカバー付きの水栓装置への適用も可能であるし、また場合によって蓋体を上向きに付勢する弾性部材として、上記コイルばね以外の他の弾性部材を用いることも可能であり、更に図２４〜２６に示す例において、ストッパボルトを直接支持棒に当接させることも、また規制部材を上記のストッパボルト以外の部材で構成することも可能である等、本発明はその趣旨を逸脱しない範囲において種々変更を加えた形態で構成可能である。
【図面の簡単な説明】
【０１４２】
【図１】本発明の一実施形態のシャワー装置の正面図である。
【図２】同実施形態のシャワー装置を壁面に設置した状態で示した断面図である。
【図３】同実施形態のシャワー装置を分解して示した図である。
【図４】同実施形態における配管経路を系統的に示した図である。
【図５】同実施形態における冷水排水弁の構成をその作用とともに示した断面図である。
【図６】同実施形態における実際の配管状態を表した図である。
【図７】図６（Ｂ）を拡大した図である。
【図８】同実施形態におけるブラケットのケース本体への固定構造を示した図である。
【図９】同実施形態におけるブラケットのケース本体への固定構造を拡大して示した図である。
【図１０】同実施形態におけるブラケットを示した図である。
【図１１】同実施形態におけるケース本体の上壁を分解して示した図である。
【図１２】同実施形態における操作部の要部の構成を示した部分断面図である。
【図１３】図１２の操作部と前面カバーとを分解して示した図である。
【図１４】同実施形態におけるボデーシャワー吐水部の要部の構成を示した部分断面図である。
【図１５】図１４のボデーシャワー吐水部と前面カバーとを分解して示した図である。
【図１６】図１４とは異なるボデーシャワー吐水部の要部の構成を示した部分断面図である。
【図１７】同実施形態におけるオーバーヘッドシャワー吐水部の要部の構成を示した部分断面図である。
【図１８】図１７のオーバーヘッドシャワー吐水部を分解して示した図である。
【図１９】同実施形態における蓋体の脱着構造を示した図である。
【図２０】図１９の蓋体の脱着構造を分解して示した図である。
【図２１】図１９の蓋体の脱着構造の要部を示した部分断面図である。
【図２２】同実施形態のシャワー装置の壁面への取付構造を示した図である。
【図２３】同実施形態のシャワー装置の壁面への取付構造の要部を拡大して示した図である。
【図２４】本発明の他の実施形態の要部を示した斜視図である。
【図２５】同実施形態の要部を示した断面図である。
【図２６】同実施形態の作用説明図である。
【図２７】従来公知のシャワー装置の一例を示した図である。
【図２８】シャワー装置の図２７とは異なる従来例を示した図である。
【符号の説明】
【０１４３】
１０  シャワー装置（水栓装置）
１２  ケース
１４  ケース本体
１６  前面カバー
２４  ハンドシャワー吐水部
２６  シャワーホース
６０  カバー本体
６２  蓋体
６４  部分開口
７６  水栓機構部
２５０，２５２  引掛部
２７６  コイルばね（弾性部材）
２８４  支持棒
【図１】
0005334503.tif 000002
【図２】
0005334503.tif 000003
【図３】
0005334503.tif 000004
【図４】
0005334503.tif 000005
【図５】
0005334503.tif 000006
【図６】
0005334503.tif 000007
【図７】
0005334503.tif 000008
【図８】
0005334503.tif 000009
【図９】
0005334503.tif 000010
【図１０】
0005334503.tif 000011
【図１１】
0005334503.tif 000012
【図１２】
0005334503.tif 000013
【図１３】
0005334503.tif 000014
【図１４】
0005334503.tif 000015
【図１５】
0005334503.tif 000016
【図１６】
0005334503.tif 000017
【図１７】
0005334503.tif 000018
【図１８】
0005334503.tif 000019
【図１９】
0005334503.tif 000020
【図２０】
0005334503.tif 000021
【図２１】
0005334503.tif 000022
【図２２】
0005334503.tif 000023
【図２３】
0005334503.tif 000024
【図２４】
0005334503.tif 000025
【図２５】
0005334503.tif 000026
【図２６】
0005334503.tif 000027
【図２７】
0005334503.tif 000028
【図２８】
0005334503.tif 000029